(57)【要約】【課題】本発明は、液体の補給が容易な液面高さ位置維持台を提供することである。【解決手段】本発明の液面高さ位置維持台１０は、高さ方向に内部断面積の変化しない液体容器４の床面からの液面高さ位置Ｈを一定にするための液面高さ位置維持台１０であって、貯留する液体４０の比重と、内部断面積から得られる単位高さ当たりの液体重量とに対応したバネ定数を持つ付勢手段２ａ、２ｂ、２ｄで、前記液体容器４を保持するようにしたことを特徴とする。【選択図】図１
2008201478.tif 000002
【特許請求の範囲】
【請求項１】
高さ方向に内部断面積の変化しない液体容器の床面からの液面高さ位置を一定にするための液面高さ位置維持台であって、
貯留する液体の比重と、前記内部断面積から得られる単位高さ当たりの液体重量とに対応したバネ定数を持つ付勢手段で、前記液体容器を保持するようにしたことを特徴とする液面高さ位置維持台。
【請求項２】
液面高さ位置維持台は、少なくとも、液体容器の搭載台と、前記搭載台の上下方向の移動を案内する支柱と、前記搭載台の支持台とを含むことを特徴とする請求項１記載の液面高さ位置維持台。
【請求項３】
請求項１または請求項２記載の液面高さ位置維持台と、
該液面高さ位置維持台で一定高さ位置に維持された液体容器から液体を供給される被供給容器に供給されるべき液体の床面からの高さの位置が、前記液体容器の液面の一定高さ位置に一致するように、前記被供給容器の設置高さを調整する被供給容器の設置高さ調整手段と、を備えていることを特徴とする液体供給台。  
【発明の詳細な説明】
【技術分野】
【０００１】
本発明は、一方の液体容器内の液面を一定高さに維持した状態で、この容器内の液体を、他方の被供給容器内の液面が同一液位になるまで供給可能な液面高さ位置維持台及び該維持台を用いた液体供給台に関する。
【背景技術】
【０００２】
従来、例えば、灯油、アルコール等の液体燃料を、その貯蔵タンクである燃料容器から、石油ファンヒータや石油ストーブ等の一定容積を有する燃料タンク（カートリッジタンク）内に移し替えるために、サイホン式の手動ポンプや、乾電池を電源とする液面検地センサー付きポンプが用いられている（例えば特許文献１）。
【０００３】
しかし、サイホン式手動ポンプの場合は、燃料タンク内の液面は通常、注入状態において見えないものであるため、注意しないと満杯間際に液体タンクの注入口から燃料をーバーフローさせることがある。
【０００４】
また、電池式の液面検地センサー付きポンプの場合は、電気を用いるものであるため、引火性の高い液体の給液には適さないものであった。さらに、満杯時に給液が自動停止してもセンサーの故障や電池切れの問題があり、これらは消耗品であるがゆえに寿命が来たら交換しなければならない煩わしさがあった。
【特許文献１】特開平９−２８０１８９号公報（請求項１、図１）
【発明の開示】
【発明が解決しようとする課題】
【０００５】
そこで、本発明は、このような問題点に鑑み、液体容器内の液体を、一旦サイホン式の手動ポンプを操作して被供給容器内への注入開始をしたならば、あとはこれら器具を放置しておいても、常に一定液位まで自動的に給液が可能な液面高さ位置維持台及び該維持台を用いた液体供給台を提供することを目的とする。
【課題を解決するための手段】
【０００６】
本発明は、上記課題を解決するために、請求項１の発明に係る液面高さ位置維持台は、高さ方向に内部断面積の変化しない液体容器の床面からの液面高さ位置を一定にするための液面高さ位置維持台であって、貯留する液体の比重と前記内部断面積から得られる単位高さ当たりの液体重量に対応したバネ定数を持つ付勢手段で、前記液体容器を保持するようにしたことを特徴とする。  
【０００７】
請求項２の発明に係る液面高さ位置維持台は、少なくとも、液体容器の搭載台と、前記搭載台の上下方向の移動を案内する支柱と、前記搭載台の支持台とを含むことを特徴とする。
【０００８】
請求項３の発明に係る液体供給台は、請求項１または請求項２記載の液面高さ位置維持台と、この液面高さ位置維持台で一定高さ位置に維持された液体容器から液体を供給される被供給容器に供給されるべき液体の床面からの高さの位置が、前記液体容器の液面の一定高さ位置に一致するように、前記被供給容器の設置高さを調整する被供給容器の設置高さ調整手段と、を備えていることを特徴とする。
【発明の効果】
【０００９】
請求項１に記載の液面高さ位置維持台によれば、液体容器を、貯留する液体の比重と液体容器の内部断面積から得られる単位高さ当たりの液体重量に対応したバネ定数を持つ付勢手段で保持するようにしたので、液体容器から被供給容器への液体の移し替えが進行しても、常に、液体容器内における液体の床面からの液位を一定の高さに維持した状態で、被供給容器内の液体が同一液位になるまで自動的に移し替えができる。
【００１０】
したがって、作業者が一旦、サイホン式の手動ポンプを操作して被供給容器内への液体への注入開始をしたならば、液体容器内の液体量は減少しつつもその液位は常に一定高さを維持しながら、被供給容器内の液体の液位が液体容器内の液位に一致する液位まで供給することができる。
【００１１】
又、被供給容器内への液体の移し替えが自動的に進行するので、液体の移し替え作業が省力化されるとともに、被供給容器内の到達液位（最高液位）が予め判明しているので、従来の問題点であった液体の移し替え終了間際のオーバーフロー問題も解消することができる。
【００１２】
請求項２の発明に係る液面高さ位置維持台によれば、液体容器の搭載台の上下方向の移動を案内する支柱が設けられているので、液体容器から被供給容器内への液体の移し替えの際に、液体容器は、搭載台上での転倒や、振動、触れ等を生じることなく、スムーズに昇降することができる。
【００１３】
請求項３の発明に係る液体供給台によれば、請求項１または請求項２記載の液面高さ位置維持台に、被供給容器の設置高さを予め調整できる設置高さ調整手段を設けたので、たとえ被供給容器としてその内容積が異なるものを使用した場合においても、被供給容器に供給されるべき液体の床面からの液位を上記液体容器の液位に一致するように、容易に調整することができる。
【発明を実施するための最良の形態】
【００１４】
以下、本発明の実施するための最良の形態をその実施例に基づいて図面を参照しながら説明する。
【実施例１】
【００１５】
図１は、本発明の液面高さ位置維持台の一実施例に係る図面で、このうち図１（ｂ）は要部断面の正面図、図１（ａ）は図１（ｂ）の液面高さ位置維持台１０をＡ−Ａ方向から見た要部断面の平面図である。なお、これらの図面において、本発明でいう液体容器である液体容器４と、被供給容器である液体タンク５の肉厚は記載を省略している。後述する実施例２〜４についても同様である。
【００１６】
これらの図は、コイルバネ２ａにより搭載台１が下方から支持された液体容器４内の液体４０が、サイホン式ポンプ７によるサイホンの原理により、これより液位の低い液体タンク５内に移し替えられている状態を示している。なお、被供給容器５は、容器内が最高液位になってもその液位５２が容器内に位置するように架台８上に置かれている。
【００１７】
なお、本発明において、「液体４０」とは、以下の実施例では灯油等の液体を想定しているが、その他、水、油、熱媒など、液体であれば如何なるものでもよいことは勿論である。また、自然落差により流れ出るものであれば、流動物であっても良い。 
【００１８】
本発明の液面高さ位置維持台１０は、基本的には底板６１と、この底板６１の上方に位置し、液体容器４を載置する搭載台１と、底板６１と搭載台１との間に設けたコイルバネ２ａとから構成されている。
【００１９】
ここで、「液体容器４」とは、例えば灯油、アルコール等の液体４０を貯留するための例えばプラスチック製、金属製、陶器製等の容器をいうが、液体の保存が可能であれば、どのような材質、形状のものであってもよい。後述する「液体タンク５」についても同様である。
【００２０】
なお、「液体容器４」と「液体タンク５」とは、例えば液体が灯油のようなものであれば、容器内部の表面面積が容器内部の上下どの位置においても、３００平方センチメートル以上、１６００平方センチメートル以下の範囲内のものが好ましい。
【００２１】
また、上部や下部の丸み部分を除いて、垂直に延長した壁面部分が多いものが好ましいが、内壁面の形状が不規則に形成されている場合には、内部表面面積の最大値と最小値が１６０平方センチメートル以内のものであれば本発明の使用においては特に実害はない。
【００２２】
以下、上記構成部材ごとに説明すると、まず、支持台６０は、本発明の液面高さ位置維持台１０において、搭載台１を支持するためのフレーム的役割をするもので、底板６１と、その周囲の側面板６３と、天井板６２とからなる直方体状の容器としている。
【００２３】
底板６１部分は、液体容器４の外形寸法以上の寸法を有するものであれば、その形状はトレイ状、平板状、格子状、網状その他どんな形状であってもよいが、液体容器４から流れ出た液体を保持するため、外縁部を底面より高くしたトレイ状にするのが好ましい。
【００２４】
また、底板６１部分の周囲は、４枚の側面板６３で包囲されており、天井板６２の中央部は、液体容器４の差し入れが可能なように開口されている。
【００２５】
なお、図の支持台６０は一例であって、図のような直方体状容器とせず、棒状部材などのフレームのみで構成しても良いし、その他の形状のものであっても良い。
【００２６】
また、これら部材の材質についても、特に限定するものではなく、腐食しないものならば如何なるものでもよく、例えばプラスチック製のものが好ましい。
【００２７】
搭載台１についても、液体容器４を搭載可能な平面寸法を有するものであればその形状はトレイ状、平板状、格子状、網状その他どんな形状であってもよく、液体容器４から流れ出た液体の保持のためにトレイ形状にすること、及び材質を耐食性のあるものにすることが好ましい点も底板６１の場合と同様である。搭載台１は、本実施例ではプラスチック製の平板を使用しており、四隅には後述する支柱３ａを通す円形の穴１１を設けている。
【００２８】
付勢手段であるコイネバネ２ａは、搭載台１と底板６１との間に装着されており、液体容器４内部に液体を入れたままで搭載台１ごと、上方に持ち上げる作用をするものである。
【００２９】
コイルバネ２ａの型式としては、図示のように本実施例では圧縮コイルバネを用いているが、その他、渦巻きバネ、板バネ、油圧バネ、気圧バネなど、どのようなバネ型式のものであってもよい。
【００３０】
バネ材質としては、鋼製であることが望ましいが、それ以外のものであってもよく、また、コイルバネ２ａの使用本数としては図では４本であるが何本であってもよい。
【００３１】
本発明では、圧縮コイルバネ２ａのバネ定数は、液体容器４と、この液体容器４内の液体４０と搭載台１とを含む全体重量が液体容器４内の液体４０が満杯時の時に最大荷重となり、一方、後述するサイホン式ポンプ７による液体４０の移し替え終了時における上記部材の全体重量が初期荷重となるものを用いている。
【００３２】
なお、液面高さ位置維持台１０は、特に搭載台１を設けず、バネ２ａ自体を使用して、液面高さ位置維持台１０を形成してもよい。この場合は、バネ２ａが搭載台１の機能をも兼用することになる。
【００３３】
なお、コイルバネ２ａは、図示の通り、搭載台１と底板６１との間に装着することが好ましいが、それ以外の部分に装着してもよい。例えば、プラスチック製の搭載台１に、バネ２ａの一部分を埋め込んで装着する方法、あるいは、バネ２ａの一部分を薄く圧延し、この部分を釘等によって搭載台１の裏面に固定して装着する方法など、どのような方法でもよい。
【００３４】
また、例えばバネ２ａのいずれかの部分を加工し、これにトレイ状その他の形状の液面高さ位置維持台１０を掛けるか、又は搭載して装着する方法など、着脱可能な状態で装着する方法でもよい。
【００３５】
支柱３ａは、搭載台１の上昇時に搭載台１が横ぶれや振動を防止し、搭載台１の上下動をスムーズに案内するためのものである。本実施例では支柱３ａは、コイルバネ２ａの内部に挿入されている。
【００３６】
支柱３ａの材質としては、プラスチック製であることが望ましいが、金属製、木製その他どんな材質でもよく、これらの材質を複合させたものでもよい。
【００３７】
また、支柱３ａの形状は、柱状、筒状、樋状、板状、線状その他どんな形状であってもよい。但し、支柱３ａの外径は、コイルバネ２ａが伸びて縮径した場合に、これに接触しない寸法のものであることは当然である。
【００３８】
一方、サイホン式ポンプ７は、手動式の市販されているプラスチック製のものであるが、本発明においてはその原理上、液体の移し替え当初における吸出し機能と、落差による液体の移し替え途中における供給パイプ的機能さえあればよく、電動式や液位検地センサーによる自動停止機能などは特に必要ない。
【００３９】
被供給容器である液体タンク５は、例えば灯油ファンヒータのカートリッジタンク等の液体を使用すべき相手機器の液体貯留容器であり、その材質、形状等は勿論如何なるものでもよい。
【００４０】
架台８は、液体タンク５内に移し変える液体５０の液位５１が注入口５ａ以下になるように位置決めするためのものである。通常、液体タンク５は、同じ形状と同じ容量のものを使用するため、架台８の高さは頻繁に変更する必要はないが、形状と容量等が異なる被供給容器を使用する場合は、貯留すべき液体５０の液位５１が液体タンク５内に位置するように高さの異なる架台を使用する。  
【００４１】
図２は、このような形状と容量等が異なる液体タンク５を使用する度に、架台８の高さ調整をしなければならない煩わしさを解消するために、高さ調整機能付き架台８Ａを備えた液体供給台２０の要部断面の正面図である。
【００４２】
図に示すように、本発明の液体供給台２０は、液面高さ位置維持台１０と、サイホン式ポンプ７と、高さ調整機能付き架台８Ａとから構成される。
【００４３】
液面高さ位置維持台１０と、サイホン式ポンプ７とは、図１（ａ）および図１（ｂ）において説明したものと全く同じものなので説明は省略するが、高さ調整機能付き架台８Ａは、液位目盛８ａ付のベース台８ｂと、その上に設けられたパンタグラフ式昇降台８ｃとからなる。液位目盛８ａ中の矢印８ｄは、液体容器４中の液体４０の床面からの高さＨを示すためのもので、液体タンク５内にはこの矢印８ｄ位置の液位まで液体５０の供給が可能であることを示している。
【００４４】
なお、本図では液体タンク５Ａは、図１のものとは異なって平面積が大きく、かつ、その高さも低いものを用いている。
【００４５】
パンタグラフ式昇降台８ｃは、図示の通り、ハンドル８ｅを回転すればその上の液体タンク５を上下動することができる。
【００４６】
したがって、本図の液体供給台２０によれば、たとえ液体５０を供給すべき液体タンク５が使用するたびに形状と容量等が異なるものであっても、内部に貯留すべき液体５０の液位５２Ａを液体容器４中の液体４０の床面からの高さＨと同じものに設定することができる。
【００４７】
次に、図３を用いて、本発明の作用と効果を説明する。
【００４８】
図のうち、図３（ｂ）は、液面高さ位置維持台１０に液体４０が満杯状態の液体容器４を載置した状態を示す要部断面の正面図を、図３（ａ）は、液体容器４内の液体の移し替えが終了した時点の状態を示している。すなわち、図３（ｂ）が初期状態、図３（ａ）が終期状態の正面図である。
【００４９】
まず、図３（ｂ）の初期状態においては、内部が液体で満杯になった液体容器４を搭載台１の上に置くと、搭載台１は液体容器４の重み（内部の液体４０他、搭載台１の自重、サイホン式ポンプ７の自重等の風袋重量を含む）で下方に沈み、４本のコイルバネ２ａの反発力と釣り合う高さコイルバネ２ａの長さＬ１で停止する。圧縮コイルバネ２ａにとっては、この状態が最大荷重が加わった状態であり、そのときバネの圧縮長さがＬ１ということになる。
【００５０】
この時点で作業者がサイホン式ポンプ７の頭部７ａを圧縮すると、液体容器４内の液体４０は、液体タンク５内の液体５０の液位５１に対して落差があるため、サイホンの原理により、液体タンク５内への注入が開始する。この移し替え状態が続くと、液体容器４内の液体４０の貯留量が減少するので、その分だけ圧縮コイルバネ２ａの負荷は軽くなるが、荷重が軽くなった分だけ搭載台１を液体容器４ごと上方に持ち上げるため、液体容器４内の液体４０の液位は初期状態の液位Ｈを維持する。
【００５１】
一方、被供給容器５内の液体５０の液位５１は、注入された分だけ液位が上昇する。
【００５２】
以後、液体容器４内の液体４０の液体タンク５内への注入が進行すると、液体タンク５内ではサイホンの原理により、液体４０の移し替え量相当量の液位上昇が続くが、液体容器４自体が圧縮コイルバネ２ａの反発作用により、液体容器４内の液体の減少分だけ搭載台１ごと上昇するため、依然として初期状態の液面４１の高さＨを維持する。
【００５３】
液体容器４の上昇が続き、図３（ａ）の終期状態になると、圧縮コイルバネ２ａは自由長さ直前の液体容器４内の液体４０の残量（図の状態では約半分量）と、前述した風袋量のみが加わった荷重状態となるので、液体容器４の上昇は停止するが、液体容器４内の液体４０の床面からの液位４１は初期状態の液位Ｈを維持したままである。
【００５４】
一方、液体タンク５には、液体容器４内の液体４０との落差がなくなるまで液体容器４内の液体４０がサイホン式ポンプ７から流入するので、その液位は液体容器４の液位Ｈと同じ液位Ｈになり、この時点で液体タンク５は満杯状態となる。
【００５５】
ここで、圧縮コイルバネ２ａに関して、前述の初期状態と終期状態とを比較すると、両状態間でバネ長さがＬ１からＬ２に伸長した分だけ、液体容器４内の液体４０のみが減少したことになるから、その減少分が荷重の減少分ということになる。
【００５６】
したがって、圧縮コイルバネ２ａのバネ定数として、貯留する液体の比重と、液体容器４の内部断面積から得られる単位高さ当たりの液体４０の重量とに対応したものに設定すれば、液体タンク５内には液体容器４の上昇速度に比例した液体容器４内の液体４０を移し変えることができ、サイホン式ポンプ７によって、液体容器４から液体タンク５に液体を自動的に給液することができるのである。
【００５７】
この場合、前述した終期状態においては、サイホンの原理により液体タンク５内の最高液位はＨまでしか上昇せず、その位置は前述の図２において説明した目印８ｄによって予め判明しているから、液体４０が液体タンク５から溢れ出ることを防止できる。
【００５８】
したがって、作業者は、一旦、サイホン式ポンプ７を操作したならば、あとは放置しておけば液体タンク５を満杯に出来るのであり、従来のサイホン式の手動ポンプや、乾電池を電源とする液面検地センサー付きポンプを使用した場合に比べて安心感があるという効果がある。
【００５９】
また、本発明は、全く電気を用いない無電源で使用するものであるので、引火性の高い液体の給液にも安心して使用できるという効果がある。
【実施例２】
【００６０】
図４は、図１の本発明の液面高さ位置維持台１０の他例であり、このうち図４（ｂ）は要部断面の正面図、図４（ａ）は図４（ｂ）の維持台をＢ−Ｂ方向から見た要部断面の平面図である。なお、本図では実施例１と同じ符号のものは同じ部材であることを示しており、その説明は省略する。
【００６１】
これらの図は、箱状の支持台６０の内部において、液体４０を貯留する液体容器４を搭載台１がコイルバネ２ｂにより下方から支えられている状態を示している。また、図では省略しているが、この液面高さ位置維持台１０Ａには、実施例１で説明した図１のサイホン式ポンプ７、液体タンク５や、架台８または図２の高さ調整機能付き架台８Ａを勿論備えている。
【００６２】
本実施例の液面高さ位置維持台１０Ａが、前述した実施例１の液面高さ位置維持台１０と異なる点は、実施例１のものは図１（ｂ）に示したように、支柱３ａが圧縮コイルバネ２ａの内部に立設されていたのであるが、本実施例の支柱３ｂはパイプ状のものを用いることにより、圧縮コイルバネ２ｂの外側を包囲するように立設されている点にある。
【００６３】
すなわち、パイプ状の支柱３ｂは、コイルバネ２ｂの上端部２ｃが搭載台１と接続されており、この上端部２ｃの上下移動を許容するため、支柱３ｂの液体容器４側には上下方向に一本の切れ目３１が垂直方向に設けられている。
【００６４】
支柱３ｂは、このように独立した態様のものを立設しても良いが、例えば図は省略するが側面板６３に、筒状又は樋状等の形状のコイルバネ２ｂを包囲した状態で支持する部分を一体的に形成してもよい。
【００６５】
このような支柱構造にしても本実施例の液面高さ位置維持台１０Ａは、実施例１で説明したのと全く同様の作用効果を得ることができる。
【実施例３】
【００６６】
図５も図１の本発明の液面高さ位置維持台１０の他例であり、このうち図５（ｂ）は要部断面の正面図、図５（ａ）は図５（ｂ）の維持台をＣ−Ｃ方向から見た要部断面の平面図である。
【００６７】
本実施例の液面高さ位置維持台１０Ｂが、実施例１の液面高さ位置維持台１０や実施例２の液面高さ位置維持台１０Ａと異なる点は、実施例１と実施例２のものはいずれも液体容器４を搭載した搭載台１が圧縮コイルバネ２ａ、２ｂで下方から上方に付勢するように支持されていたが、本実施例のものは図に示すように四本の引張コイルバネ２ｄで吊り下げられている点にあり、その他の点については実施例１、実施例２の場合と同様である。
【００６８】
なお、本実施例においても実施例１、２で用いた符合と同じ符号のものは同じ部材であることを示している。
【００６９】
この場合の引張コイルバネ２ｄのバネ定数としては、実施例１で説明した初期状態が本実施例の引張コイルバネ２ｄにとっては図の最大伸び時の状態であり、終期状態が自由長さに近い状態のものという点だけが異なるから、前述した「貯留する液体の比重と、内部断面積から得られる単位高さ当たりの液体重量とに対応したバネ定数を持つ」という点についてはなんら異なるところがない。
【００７０】
よって、このような支持構造にしても、本実施例の液面高さ位置維持台１０Ｂは、実施例１、２で説明したのと全く同様の作用効果を得ることができる。
【実施例４】
【００７１】
図６は、図１の本発明の液面高さ位置維持台１０の更に他例を示す斜視図である。
【００７２】
本実施例のものは、実施例１〜３で述べた支持台６０の代わりに、例えば金属やプラスチック製の棒状部材を結合して支持台６０Ａを形成したものである。
【００７３】
すなわち、上部は液体用容器４が十分余裕を持って出し入れできる寸法に上部棒状部材６２ａを矩形状に折り曲げて互いに結合したものである。
【００７４】
また、下部棒状部材６１ａも同様寸法の矩形状に結合し、両部材６１ａ、６２ａ間を結合する四本の垂直棒状部材３ｄのそれぞれの中に圧縮コイルバネ２ｂと搭載台１を上下方向の移動が進退自在になるように装着したものである。
【００７５】
支持台６０Ａをこのように構成すると、支柱をその構成部材である垂直棒状部材３ｄで兼用することができ、簡易で安価な液面高さ位置維持台１０Ｃが得られ、また、持ち運びにも便利である。
【００７６】
以上の図１〜図５で示した本発明の液面高さ位置維持台は、あくまでも本発明の好ましい一実施例であって、本発明は、これらの実施例に何ら限定されるものではない。本発明の液面高さ位置維持台は、実施例に示した内容の一部を改良することにより更に優れたものにすることができる。
【図面の簡単な説明】
【００７７】
【図１】本発明の液面高さ位置維持台の一実施例にかかる図面で、このうち図１（ｂ）は要部断面の正面図、図１（ａ）は図１（ｂ）の維持台をＡ−Ａ方向から見た要部断面の平面図である。
【図２】高さ調整機能付き架台８Ａを備えた液体供給台の要部断面の正面図である。
【図３】本発明の作用と効果を説明する図であり、このうち図３（ｂ）は液体容器４が満杯時の初期状態の要部断面の正面図、図３（ａ）は液体容器４からの液体の移し替え完了時の終期状態を示す要部断面の正面図である。
【図４】本発明の液面高さ位置維持台１０の他例であり、このうち図４（ｂ）は要部断面の正面図、図４（ａ）は図４（ｂ）の維持台をＢ−Ｂ方向から見た要部断面の平面図である。
【図５】本発明の液面高さ位置維持台１０の更に他例であり、このうち図５（ｂ）は要部断面の正面図、図５（ａ）は図５（ｂ）の維持台をＣ−Ｃ方向から見た要部断面の平面図である。
【図６】本発明の液面高さ位置維持台の他例を示す斜視図である。
【符号の説明】
【００７８】
１：液体容器の搭載台
１０：液面高さ位置維持台
１１：支柱の穴
２ａ：圧縮コイルバネ
２ｂ：圧縮コイルバネ
２ｃ：上端部
２ｄ：引張コイルバネ
２０：液体供給台
３ａ：コイルバネの内側に設けた支柱
３ｂ：コイルバネの外側に設けた支柱
３１：支柱３ｂの切れ目
３ｄ：垂直棒状部材
４：液体容器
４０：液体容器内の液体
４１：液位
５：液体タンク
５０：液体タンク内の液体
５１：液位
５２：液体タンクが満杯時の液位
６０：支持台
６１：底板
６２：天井板
６３：側面板
７：サイホン式ポンプ
７ａ：頭部
８：架台
８Ａ: 高さ調整機能付き架台（設置高さ調整手段）
【図１】
2008201478.tif 000003
【図２】
2008201478.tif 000004
【図３】
2008201478.tif 000005
【図４】
2008201478.tif 000006
【図５】
2008201478.tif 000007
【図６】
2008201478.tif 000008